【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
第１の流体箇所と第２の流体箇所の間で一方向の流体流れを提供するために医療デバイスにおいて使用するための医療用逆止め弁であって、
頂面、底面、および前記頂面と前記底面の間の側壁を有する可撓性のダイアフラムと、
前記可撓性のダイアフラムの前記底面から延びる第１の支持部材、および前記可撓性のダイアフラムの前記底面から延びる第２の支持部材であって、第１の支持部材または第２の支持部材の中を通らずに前記底面を二分する対称線を画定するように位置決めされる第１の支持部材および第２の支持部材と、
を備え、
前記可撓性のダイアフラムは、前記頂面がほぼ平面であり流体開口に当接して封止するように構成される第１の位置と、前記ダイアフラムの前記頂面が前記対称線を概ね囲むように湾曲され前記流体開口から移動されるように構成される第２の位置とを有することを特徴とする医療用逆止め弁。
【請求項２】
前記対称線が、前記第１の支持部材または前記第２の支持部材の中を通らずに前記底面を二分する唯一の対称線である、請求項１に記載の医療用逆止め弁。
【請求項３】
前記可撓性のダイアフラムが円板である、請求項１に記載の医療用逆止め弁。
【請求項４】
前記第１の支持部材及び前記第２の支持部材が、前記円板に対して１８０度離れて位置決めされる、請求項３に記載の医療用逆止め弁。
【請求項５】
前記可撓性のダイアフラムが穿孔されない、請求項１に記載の医療用逆止め弁。
【請求項６】
前記可撓性のダイアフラム、前記第１の支持部材および前記第２の支持部材は、一体に形成される、請求項１に記載の医療用逆止め弁。
【請求項７】
前記ダイアフラムを前記第１の位置から前記第２の位置に移動させるには前記可撓性のダイアフラムの前記頂面に対する３ｐｓｉ未満の正味の圧力で十分である、請求項１に記載の医療用逆止め弁。
【請求項８】
流体流路へのアクセスを実現するのに使用する医療用マニフォルドであって、前記医療用マニフォルドが、請求項１〜７のいずれか一項に記載の医療用逆止め弁を備える、医療用マニフォルド。
【請求項９】
流体流路へのアクセスを実現するのに使用する医療用マニフォルドであって、
第１のポートと、
第２のポートと、
前記第１のポートと前記第２のポートを接続し第１の流路を画定する第１のチャネルと、
第３のポートと前記第１の流路を流体接続する第２のチャネルを有する第３のポートを備えるハウジングであって、前記医療用逆止め弁が前記第３のポート内に位置決めされることで前記第３のポートの底壁と前記ダイアフラムの間に空間を画定する、ハウジングと、
前記第３のポートに装着するように構成された医療用コネクタであって、閉位置にある前記医療用逆止め弁は、前記医療用コネクタへの開口に当接して封止するように構成されており、開位置にある前記医療用逆止め弁は、流体が前記医療用コネクタから、前記医療用逆止め弁を通過し、前記第２のチャネルを通過し前記第１の流路へと流れることを可能にするように構成される、医療コネクタと、
をさらに備える、請求項８に記載の医療用マニフォルド。
【請求項１０】
前記第３のポートの外壁は円筒形である、請求項９に記載の医療用マニフォルド。
【請求項１１】
前記第３のポートの外壁は多数の壁を備える、請求項９に記載の医療用マニフォルド。
【請求項１２】
前記第３のポートはさらに、前記第３のポートの前記底壁から延び前記第２のチャネルに隣接する少なくとも２つの突起を備え、前記突起は、前記突起と前記第３のポートの外壁の間に外側チャネルを画定し、前記突起同士の間に少なくとも２つの横方向のチャネルを画定する、請求項９に記載の医療用マニフォルド。
【請求項１３】
前記第１及び第２の支持部材は、少なくとも２つの前記突起の上に位置決めされるように構成される、請求項１２に記載の医療用マニフォルド。
【請求項１４】
前記医療用逆止め弁は前記閉位置に向けて付勢される、請求項９に記載の医療用マニフォルド。
【請求項１５】
前記医療用逆止め弁は、前記医療用コネクタ内の流体からの圧力の結果として、前記閉位置から前記開位置へと移動するように構成される、請求項９に記載の医療用マニフォルド。
【請求項１６】
前記ハウジングは一体式構造であり、前記第１および第２のポートを含む、請求項９に記載の医療用マニフォルド。
【請求項１７】
前記医療用逆止め弁を前記開位置から前記閉位置に移動させるには前記弁部材に対する３ｐｓｉ未満の正味の圧力で十分である、請求項９に記載の医療用マニフォルド。
【請求項１８】
前記第３のポートはさらに、前記第３のポートの前記底壁から延び前記第２のチャネルに隣接する少なくとも２つの突起を備え、前記突起は、前記突起同士の間に少なくとも２つの横方向のチャネルを画定する、請求項９に記載の医療用マニフォルド。
【請求項１９】
前記第１及び第２の支持部材は、少なくとも２つの前記突起の上に位置決めされるように構成される、請求項１８に記載の医療用マニフォルド。
【請求項２０】
前記第３のポートは凹部を含み、前記突起は、前記凹部の前記底壁から延びている、請求項１８に記載の医療用マニフォルド。
【請求項２１】
前記凹部を囲む壁は、前記ハウジングから外向きに延び、前記医療用コネクタの一部は、前記壁の少なくとも一部分を囲むように構成される、請求項２０に記載の医療用マニフォルド。
【請求項２２】
前記医療用コネクタは音波を利用して前記第３のポートに溶接される、請求項２１に記載の医療用マニフォルド。
【請求項２３】
前記ハウジングはさらに、第４のポートと前記第１の流路を流体接続する第３のチャネルを備えた第４のポートを備え、前記医療用マニフォルドはさらに、
ダイアフラム、および前記第４のポート内に位置決めされることで前記第４のポートの底壁と前記ダイアフラムの間に空間を画定するように構成された複数の支持部材を備えた第２の弁部材と、
前記第４のポートに装着するように構成された第２の医療用コネクタと、
を備え、
閉位置にある前記第２の弁部材は、前記第２の医療用コネクタへの開口に当接して封止するように構成されており、開位置にある前記第２の弁部材は、流体が前記第２の医療用コネクタから、前記第２の弁部材を通過し、前記第３のチャネルを通って前記第１の流路へと流れることができるように構成される、請求項９に記載の医療用マニフォルド。
【請求項２４】
前記第１のポートは、医療用のルアーコネクタに係合するように構成される、請求項９に記載の医療用マニフォルド。
【請求項２５】
第４のポートと前記第１の流路を流体接続する第３のチャネルを備えた第４のポートを備える第２のハウジングと、
ダイアフラム、および前記第４のポート内に位置決めされることで前記第４のポートの底壁と前記ダイアフラムの間に空間を画定するように構成された複数の支持部材とを備えた第２の弁部材と、
前記第４のポートに装着するように構成された第２の医療用コネクタと。
をさらに備え、
閉位置にある前記第２の弁部材は、前記第２の医療用コネクタへの開口に当接して封止するように構成されており、開位置にある前記第２の弁部材は、流体が前記第２の医療用コネクタから、前記第２の弁部材を通過し、前記第３のチャネルを通って前記第１の流路へと流れることができるように構成される、請求項９に記載の医療用マニフォルド。
【請求項２６】
前記第１および第２のハウジングは一体式構造である、請求項２５に記載の医療用マニフォルド。
【請求項２７】
前記第１および第２のハウジングは、可撓性の接続要素によって結合される、請求項２５に記載の医療用マニフォルド。
【請求項２８】
前記第２の位置において、前記ダイアフラムの前記頂面が、前記対称線の周りに下方に湾曲する、請求項１に記載の医療用逆止め弁。
【請求項２９】
前記第２の位置において、前記ダイアフラムが、下方にしなり、これにより、前記ダイアフラムの前記頂面上にくぼみを形成する、請求項１に記載の医療用逆止め弁。